(57)【要約】【課題】ＰＣ等の外部情報処理装置からネットワークを介して送られてくる画情報を自動的に記録紙サイズに合わせた縮小を行う一方、ファクシミリ信号で受信した画情報は縮小を行わない画像処理装置およびその印字制御方法を提供する。【解決手段】画像処理装置は画情報を受信すると、画情報の記録紙サイズを検出し、画情報の記録紙サイズと同じ大きさの記録紙が設紙されていない際に、Ｎｅｔｗｏｒｋ制御装置を介して受信した画情報である場合、画情報の記録紙サイズより小さい記録紙が設紙されているか否か確認し、画情報の記録紙サイズより小さい記録紙が設紙されている場合、画情報をその記録紙の記録紙サイズに合わせて縮小し、その記録紙に縮小した画情報を印字する。また、ファクシミリ信号で電話回線制御装置を介して受信した画情報である場合、更に、画情報の記録紙サイズより小さい記録紙が設紙されていない場合、記録紙が設紙されるまで待機する。【選択図】　図１
2004064212.tif 000002
【特許請求の範囲】
【請求項１】
画情報を処理し、該処理した画情報を記録紙に印字する印字手段を具備する画像処理装置において、
ネットワークを介して送信される画情報を受信する画情報受信手段と、
前記画情報受信手段で受信した画情報を格納する格納手段と、
前記格納手段で格納した画情報を記録紙に印字する際の制御を行う印字制御手段と、
前記記録紙を設紙し、該設紙されている記録紙を前記印字手段に給紙する少なくとも１つの給紙トレイと
を具備し、
前記印字制御手段は、
前記画情報の記録紙サイズが前記給紙トレイに設紙されている記録紙の記録紙サイズのいずれよりも大きい際に、前記給紙トレイに設紙されている記録紙のうちで最も大きい記録紙サイズの記録紙に合わせて該画情報を縮小し、該縮小した画情報を印字する
ことを特徴とする画像処理装置。
【請求項２】
画情報を処理し、該処理した画情報を記録紙に印字する印字手段を具備する画像処理装置において、
ネットワークを介して送信される画情報を受信する画情報受信手段と、
公衆回線を介してファクシミリ信号として送信されるファクシミリ画情報を受信するファクシミリ画情報受信手段と、
前記画情報受信手段で受信した画情報および前記ファクシミリ画情報受信手段で受信したファクシミリ画情報を格納する格納手段と、
前記格納手段で格納した画情報およびファクシミリ画情報を記録紙に印字する際の制御を行う印字制御手段と、
前記記録紙を設紙し、該設紙されている記録紙を前記印字手段に給紙する少なくとも１つの給紙トレイと
を具備し、
前記印字制御手段は、
前記画情報の記録紙サイズが前記給紙トレイに設紙されている記録紙の記録紙サイズのいずれよりも大きい際に、前記給紙トレイに設紙されている記録紙のうちで最も大きい記録紙サイズの記録紙に合わせて該画情報を縮小し、該縮小した画情報を印字し、
前記ファクシミリ画情報の記録紙サイズが前記給紙トレイに設紙されている記録紙の記録紙サイズのいずれよりも大きい際に、該ファクシミリ画情報を縮小せずに、該ファクシミリ画情報の記録紙サイズと同じ大きさの記録紙が前記給紙トレイに設紙されるまで印字を待機する
ことを特徴とする画像処理装置。
【請求項３】
前記給紙トレイは、
前記記録紙の記録紙サイズを検知する記録紙サイズ検知手段
を具備することを特徴とする請求項１または２記載の画像処理装置。
【請求項４】
前記給紙トレイは、
前記記録紙の記録紙サイズを設定する記録紙サイズ設定手段
を具備することを特徴とする請求項１または２記載の画像処理装置。
【請求項５】
前記印字制御手段は、
前記画情報を記録紙に印字している途中で、該記録紙がなくなった際に、
前記記録紙の記録紙サイズと同じ大きさの記録紙がある場合、該同じ大きさの記録紙に前記画情報を印字し、
前記記録紙の記録紙サイズと同じ大きさの記録紙がない場合、前記給紙トレイに設紙されている記録紙のうちで最も大きい記録紙サイズの記録紙に合わせて前記画情報を縮小し、該縮小した画情報を印字する
ことを特徴とする請求項１または２記載の画像処理装置。
【請求項６】
前記画情報受信手段は、
インターネットファクシミリ装置から前記ネットワークを介して送信された画情報を受信する
ことを特徴とする請求項１または２記載の画像処理装置。
【請求項７】
前記給紙トレイに設紙されている記録紙がなくなった際に、該記録紙がなくなった旨を通知する通知手段
を更に具備することを特徴とする請求項１または２記載の画像処理装置。
【請求項８】
画情報を処理し、該処理した画情報を記録紙に印字する印字手段を具備する画像処理装置において、
ネットワークを介して送信される画情報を受信する画情報受信手段と、
公衆回線を介してファクシミリ信号として送信されるファクシミリ画情報を受信するファクシミリ画情報受信手段と、
前記画情報受信手段で受信した画情報および前記ファクシミリ画情報受信手段で受信したファクシミリ画情報を格納する格納手段と、
前記格納手段で格納した画情報およびファクシミリ画情報を記録紙に印字する際の制御を行う印字制御手段と、
前記記録紙を設紙し、該設紙されている記録紙を前記印字手段に給紙する少なくとも１つの給紙トレイと
を具備し、
前記印字制御手段は、
前記画情報の記録紙サイズが前記給紙トレイに設紙されている記録紙の記録紙サイズのいずれよりも大きい際に、
前記画情報の主走査方向長と一致する長さの辺を有する記録紙が設紙されている場合、該画情報を分割し、該分割した画情報を印字し、
前記画情報の主走査方向長と一致する長さの辺を有する記録紙が設紙されていない場合、前記給紙トレイに設紙されている記録紙のうちで最も大きい記録紙サイズの記録紙に合わせて該画情報を縮小し、該縮小した画情報を印字し、
前記ファクシミリ画情報の記録紙サイズが前記給紙トレイに設紙されている記録紙の記録紙サイズのいずれよりも大きい際に、該ファクシミリ画情報を縮小せずに、該ファクシミリ画情報の記録紙サイズと同じ大きさの記録紙が前記給紙トレイに設紙されるまで印字を待機する
ことを特徴とする画像処理装置。
【請求項９】
少なくとも１つの給紙トレイを有し、受信した画情報を記録紙に印字する画像処理装置の印字制御方法において、
ネットワークを介して送信される画情報を受信した際に、該受信した画情報の記録紙サイズが、前記給紙トレイに設紙されている記録紙の記録紙サイズのいずれよりも大きい場合は、前記給紙トレイに設紙されている記録紙のうちで最も大きい記録紙サイズの記録紙に合わせて前記画情報を縮小し、該縮小した画情報を印字する
ことを特徴とする画像処理装置の印字制御方法。
【請求項１０】
少なくとも１つの給紙トレイを有し、受信した画情報を記録紙に印字する画像処理装置の印字制御方法において、
ネットワークを介して送信される画情報を受信した際に、該受信した画情報の記録紙サイズが、前記給紙トレイに設紙されている記録紙の記録紙サイズのいずれよりも大きい場合は、前記給紙トレイに設紙されている記録紙のうちで最も大きい記録紙サイズの記録紙に合わせて前記画情報を縮小し、該縮小した画情報を印字し、
公衆回線を介してファクシミリ信号として送信されるファクシミリ画情報を受信した際に、該受信したファクシミリ画情報の記録紙サイズが、前記給紙トレイに設紙されている記録紙の記録紙サイズのいずれよりも大きい場合は、前記ファクシミリ画情報の記録紙サイズと同じ大きさの記録紙が前記給紙トレイに設紙されるまで印字を待機する
ことを特徴とする画像処理装置の印字制御方法。
【請求項１１】
前記給紙トレイにおいて、前記記録紙の記録紙サイズを検知する
ことを特徴とする請求項９または１０記載の画像処理装置の印字制御方法。
【請求項１２】
前記給紙トレイにおいて、前記記録紙の記録紙サイズを設定する
ことを特徴とする請求項９または１０記載の画像処理装置の印字制御方法。
【請求項１３】
前記画情報を記録紙に印字している途中で、該記録紙がなくなった際に、
前記記録紙の記録紙サイズと同じ大きさの記録紙がある場合、該同じ大きさの記録紙に前記画情報を印字し、
前記記録紙の記録紙サイズと同じ大きさの記録紙がない場合、前記給紙トレイに設紙されている記録紙のうちで最も大きい記録紙サイズの記録紙に合わせて前記画情報を縮小し、該縮小した画情報を印字する
ことを特徴とする請求項９または１０記載の画像処理装置の印字制御方法。
【請求項１４】
前記画情報は、
インターネットファクシミリ装置から前記ネットワークを介して送信された画情報である
ことを特徴とする請求項９または１０記載の画像処理装置の印字制御方法。
【請求項１５】
前記給紙トレイに設紙されている記録紙がなくなった際に、該記録紙がなくなった旨を通知する
ことを特徴とする請求項９または１０記載の画像処理装置の印字制御方法。
【請求項１６】
少なくとも１つの給紙トレイを有し、受信した画情報を記録紙に印字する画像処理装置の印字制御方法において、
ネットワークを介して送信される画情報を受信した際に、該受信した画情報の記録紙サイズが、前記給紙トレイに設紙されている記録紙の記録紙サイズのいずれよりも大きい場合、
前記画情報の主走査方向長と一致する長さの辺を有する記録紙が設紙されている際には、該画情報を分割し、該分割した画情報を印字し、
前記画情報の主走査方向長と一致する長さの辺を有する記録紙が設紙されていない際には、前記給紙トレイに設紙されている記録紙のうちで最も大きい記録紙サイズの記録紙に合わせて前記画情報を縮小し、該縮小した画情報を印字し、
公衆回線を介してファクシミリ信号として送信されるファクシミリ画情報を受信した際に、該受信したファクシミリ画情報の記録紙サイズが、前記給紙トレイに設紙されている記録紙の記録紙サイズのいずれよりも大きい場合は、前記ファクシミリ画情報の記録紙サイズと同じ大きさの記録紙が前記給紙トレイに設紙されるまで印字を待機する
ことを特徴とする画像処理装置の印字制御方法。
【発明の詳細な説明】
【０００１】
【発明の属する技術分野】
本発明は、画像処理装置およびその印字制御方法に関し、特に、ネットワーク等を介して受信した画情報を印字する画像処理装置およびその印字制御方法に関する。
【０００２】
【従来の技術】
近年では、ファクシミリ機能だけではなく、コピー機能やプリンタ機能を備えた複合機が開発されている。
【０００３】
従来、ファクシミリ信号で受信した画像（以下、ファクシミリ画像と呼ぶ）は、ＩＴＵ−Ｔ勧告Ｔ．３０準拠で制御されているため、送信局と受信局とがファクシミリプロトコルでネゴシエーションを行い、送信局が受信局で印字可能な記録紙サイズにして送信するものであった。
【０００４】
ここで、ファクシミリ画像には先頭部に送信年月日、送信局の電話番号、発信人名称、ページ数等の発信元記録が付加する場合、送信局の画像サイズと受信局の画像サイズとを比較すると、送信局の画像サイズの方が大きくなるため、受信局において一定倍率による縮小を行って受信局の画像サイズに納める技術が提案されているが、縮小を行った際に、送信局が送信した画像を忠実に再現できない問題があった。
【０００５】
そこで、特開平８−１４２４３９号には、受信した画像を保存する際には縮小を行わず、ネットワーク等を介して受信した画像（例えば、ＰＣ等から送信されたが画像）である場合は縮小を行わないように制御する技術が提案されている。
【０００６】
【発明が解決しようとする課題】
しかし、特開平８−１４２４３９号の技術は、印字可能な記録紙サイズがあることが前提となっているため、受信局の記録紙サイズを考慮せずに画像を送信するインターネットファクシミリ通信の場合、受信局が印字不可能な記録紙サイズを受信しても、印字ができないという問題があった。
【０００７】
そこで、本発明は、ＰＣ等の外部情報処理装置からネットワークを介して送られてくる画情報を自動的に記録紙サイズに合わせた縮小を行う一方、ファクシミリ信号で受信した画情報は縮小を行わない画像処理装置およびその印字制御方法を提供することを目的とする。
【０００８】
【課題を解決するための手段】
上記目的を達成するため、請求項１の発明は、画情報を処理し、該処理した画情報を記録紙に印字する印字手段を具備する画像処理装置において、ネットワークを介して送信される画情報を受信する画情報受信手段と、前記画情報受信手段で受信した画情報を格納する格納手段と、前記格納手段で格納した画情報を記録紙に印字する際の制御を行う印字制御手段と、前記記録紙を設紙し、該設紙されている記録紙を前記印字手段に給紙する少なくとも１つの給紙トレイとを具備し、前記印字制御手段は、前記画情報の記録紙サイズが前記給紙トレイに設紙されている記録紙の記録紙サイズのいずれよりも大きい際に、前記給紙トレイに設紙されている記録紙のうちで最も大きい記録紙サイズの記録紙に合わせて該画情報を縮小し、該縮小した画情報を印字することを特徴とする。
【０００９】
また、請求項２の発明は、画情報を処理し、該処理した画情報を記録紙に印字する印字手段を具備する画像処理装置において、ネットワークを介して送信される画情報を受信する画情報受信手段と、公衆回線を介してファクシミリ信号として送信されるファクシミリ画情報を受信するファクシミリ画情報受信手段と、前記画情報受信手段で受信した画情報および前記ファクシミリ画情報受信手段で受信したファクシミリ画情報を格納する格納手段と、前記格納手段で格納した画情報およびファクシミリ画情報を記録紙に印字する際の制御を行う印字制御手段と、前記記録紙を設紙し、該設紙されている記録紙を前記印字手段に給紙する少なくとも１つの給紙トレイとを具備し、前記印字制御手段は、前記画情報の記録紙サイズが前記給紙トレイに設紙されている記録紙の記録紙サイズのいずれよりも大きい際に、前記給紙トレイに設紙されている記録紙のうちで最も大きい記録紙サイズの記録紙に合わせて該画情報を縮小し、該縮小した画情報を印字し、前記ファクシミリ画情報の記録紙サイズが前記給紙トレイに設紙されている記録紙の記録紙サイズのいずれよりも大きい際に、該ファクシミリ画情報を縮小せずに、該ファクシミリ画情報の記録紙サイズと同じ大きさの記録紙が前記給紙トレイに設紙されるまで印字を待機することを特徴とする。
【００１０】
また、請求項３の発明は、請求項１または２の発明において、前記給紙トレイは、前記記録紙の記録紙サイズを検知する記録紙サイズ検知手段を具備することを特徴とする。
【００１１】
また、請求項４の発明は、請求項１または２の発明において、前記給紙トレイは、前記記録紙の記録紙サイズを設定する記録紙サイズ設定手段を具備することを特徴とする。
【００１２】
また、請求項５の発明は、請求項１または２の発明において、前記印字制御手段は、前記画情報を記録紙に印字している途中で、該記録紙がなくなった際に、前記記録紙の記録紙サイズと同じ大きさの記録紙がある場合、該同じ大きさの記録紙に前記画情報を印字し、前記記録紙の記録紙サイズと同じ大きさの記録紙がない場合、前記給紙トレイに設紙されている記録紙のうちで最も大きい記録紙サイズの記録紙に合わせて前記画情報を縮小し、該縮小した画情報を印字することを特徴とする。
【００１３】
また、請求項６の発明は、請求項１または２の発明において、前記画情報受信手段は、インターネットファクシミリ装置から前記ネットワークを介して送信された画情報を受信することを特徴とする。
【００１４】
また、請求項７の発明は、請求項１または２の発明において、前記給紙トレイに設紙されている記録紙がなくなった際に、該記録紙がなくなった旨を通知する通知手段を更に具備することを特徴とする。
【００１５】
また、請求項８の発明は、画情報を処理し、該処理した画情報を記録紙に印字する印字手段を具備する画像処理装置において、ネットワークを介して送信される画情報を受信する画情報受信手段と、公衆回線を介してファクシミリ信号として送信されるファクシミリ画情報を受信するファクシミリ画情報受信手段と、前記画情報受信手段で受信した画情報および前記ファクシミリ画情報受信手段で受信したファクシミリ画情報を格納する格納手段と、前記格納手段で格納した画情報およびファクシミリ画情報を記録紙に印字する際の制御を行う印字制御手段と、前記記録紙を設紙し、該設紙されている記録紙を前記印字手段に給紙する少なくとも１つの給紙トレイとを具備し、前記印字制御手段は、前記画情報の記録紙サイズが前記給紙トレイに設紙されている記録紙の記録紙サイズのいずれよりも大きい際に、前記画情報の主走査方向長と一致する長さの辺を有する記録紙が設紙されている場合、該画情報を分割し、該分割した画情報を印字し、前記画情報の主走査方向長と一致する長さの辺を有する記録紙が設紙されていない場合、前記給紙トレイに設紙されている記録紙のうちで最も大きい記録紙サイズの記録紙に合わせて該画情報を縮小し、該縮小した画情報を印字し、前記ファクシミリ画情報の記録紙サイズが前記給紙トレイに設紙されている記録紙の記録紙サイズのいずれよりも大きい際に、該ファクシミリ画情報を縮小せずに、該ファクシミリ画情報の記録紙サイズと同じ大きさの記録紙が前記給紙トレイに設紙されるまで印字を待機することを特徴とする。
【００１６】
また、請求項９の発明は、少なくとも１つの給紙トレイを有し、受信した画情報を記録紙に印字する画像処理装置の印字制御方法において、ネットワークを介して送信される画情報を受信した際に、該受信した画情報の記録紙サイズが、前記給紙トレイに設紙されている記録紙の記録紙サイズのいずれよりも大きい場合は、前記給紙トレイに設紙されている記録紙のうちで最も大きい記録紙サイズの記録紙に合わせて前記画情報を縮小し、該縮小した画情報を印字することを特徴とする。
【００１７】
また、請求項１０の発明は、少なくとも１つの給紙トレイを有し、受信した画情報を記録紙に印字する画像処理装置の印字制御方法において、ネットワークを介して送信される画情報を受信した際に、該受信した画情報の記録紙サイズが、前記給紙トレイに設紙されている記録紙の記録紙サイズのいずれよりも大きい場合は、前記給紙トレイに設紙されている記録紙のうちで最も大きい記録紙サイズの記録紙に合わせて前記画情報を縮小し、該縮小した画情報を印字し、公衆回線を介してファクシミリ信号として送信されるファクシミリ画情報を受信した際に、該受信したファクシミリ画情報の記録紙サイズが、前記給紙トレイに設紙されている記録紙の記録紙サイズのいずれよりも大きい場合は、前記ファクシミリ画情報の記録紙サイズと同じ大きさの記録紙が前記給紙トレイに設紙されるまで印字を待機することを特徴とする。
【００１８】
また、請求項１１の発明は、請求項９または１０の発明において、前記給紙トレイにおいて、前記記録紙の記録紙サイズを検知することを特徴とする。
【００１９】
また、請求項１２の発明は、請求項９または１０の発明において、前記給紙トレイにおいて、前記記録紙の記録紙サイズを設定することを特徴とする。
【００２０】
また、請求項１３の発明は、請求項９または１０の発明において、前記画情報を記録紙に印字している途中で、該記録紙がなくなった際に、前記記録紙の記録紙サイズと同じ大きさの記録紙がある場合、該同じ大きさの記録紙に前記画情報を印字し、前記記録紙の記録紙サイズと同じ大きさの記録紙がない場合、前記給紙トレイに設紙されている記録紙のうちで最も大きい記録紙サイズの記録紙に合わせて前記画情報を縮小し、該縮小した画情報を印字することを特徴とする。
【００２１】
また、請求項１４の発明は、請求項９または１０の発明において、前記画情報は、インターネットファクシミリ装置から前記ネットワークを介して送信された画情報であることを特徴とする。
【００２２】
また、請求項１５の発明は、請求項９または１０の発明において、前記給紙トレイに設紙されている記録紙がなくなった際に、該記録紙がなくなった旨を通知することを特徴とする。
【００２３】
また、請求項１６の発明は、少なくとも１つの給紙トレイを有し、受信した画情報を記録紙に印字する画像処理装置の印字制御方法において、ネットワークを介して送信される画情報を受信した際に、該受信した画情報の記録紙サイズが、前記給紙トレイに設紙されている記録紙の記録紙サイズのいずれよりも大きい場合、前記画情報の主走査方向長と一致する長さの辺を有する記録紙が設紙されている際には、該画情報を分割し、該分割した画情報を印字し、前記画情報の主走査方向長と一致する長さの辺を有する記録紙が設紙されていない際には、前記給紙トレイに設紙されている記録紙のうちで最も大きい記録紙サイズの記録紙に合わせて前記画情報を縮小し、該縮小した画情報を印字し、公衆回線を介してファクシミリ信号として送信されるファクシミリ画情報を受信した際に、該受信したファクシミリ画情報の記録紙サイズが、前記給紙トレイに設紙されている記録紙の記録紙サイズのいずれよりも大きい場合は、前記ファクシミリ画情報の記録紙サイズと同じ大きさの記録紙が前記給紙トレイに設紙されるまで印字を待機することを特徴とする。
【００２４】
【発明の実施の形態】
以下、本発明に係わる画像処理装置およびその印字制御方法の実施の形態について添付図面を参照して詳細に説明する。
【００２５】
図１は、本発明に係わる画像処理装置の概略構成の一例を示すブロック図である。
【００２６】
図１に示すように、画像処理装置は、ＣＰＵ１、ＲＡＭ２、操作表示装置３、読取装置４、印字装置５、画像処理装置６、画像蓄積装置７、システム制御部８、Ｎｅｔｗｏｒｋ制御装置９、電話回線制御装置１０、給紙装置１１から構成され、各装置はシステムバス１２を介して相互にデータのやり取りを行う。
【００２７】
ここで、ＣＰＵ（Ｃｅｎｔｒａｌ　Ｐｒｏｃｅｓｓｉｎｇ　Ｕｎｉｔ）１は、画像処理装置全体の制御処理を行う。
【００２８】
また、ＲＡＭ（Ｒａｎｄｏｍ　Ａｃｃｅｓｓ　Ｍｅｍｏｒｙ）２は、画像メモリ、画像バッファ、読取ラインバッファ、記録ラインバッファ、ユーザ登録データエリア、制御プログラムが使用するワークエリア等が割り当てられている。
【００２９】
また、操作表示装置３は、画像処理装置の状態、通信状態またはユーザに対するメッセージ等を表示するとともに、画像処理装置の各装置への指示や設定入力、通信時における通信開始の指示や送信先の設定等を行う液晶表示のタッチパネル等から構成される。
【００３０】
また、読取装置４は、電話回線を介して送信する原稿および印字装置で印字する原稿等を光学的に読み取り、電気的な画情報に変換する。
【００３１】
また、印字装置５は、読取装置４で読み取った原稿の画情報、電話回線を介して受信した画情報（ファクシミリ文書）およびＮｅｔｗｏｒｋを介して受信した画情報を記録紙に印字する。
【００３２】
また、画像処理装置６は、画情報の符号化／複合化／拡大／縮小等を行う。
【００３３】
また、画像蓄積装置７は、画情報を蓄積する。
【００３４】
また、システム制御部８は、画像処理装置全体を制御するプログラムが格納されているＲＯＭ（Ｒｅａｄ　Ｏｎｌｙ　Ｍｅｍｏｒｙ）である。
【００３５】
また、Ｎｅｔｗｏｒｋ制御装置９は、Ｎｅｔｗｏｒｋに接続するための装置である。
【００３６】
また、電話回線制御装置１０は、電話回線に接続するためのモデムまたは網制御装置である。
【００３７】
また、給紙装置１１は、自動給紙を行うことが可能な多段トレイであり、各トレイには設紙された記録紙の記録紙サイズを検知する記録紙サイズ検知手段を有し、例えば、給紙装置１１の上面に設置された記録紙ガイド等の位置を検出することで記録紙サイズを検知する。または、給紙装置１１は各トレイに設紙する記録紙の記録紙サイズを設定する記録紙サイズ設定手段を有し、例えば、操作表示装置で３設紙する記録紙の記録紙サイズを各トレイ毎に設定したり、またはハード的なスイッチで記録紙サイズを各トレイ毎に設定する。なお、本実施例では多段トレイを一例にして説明するが、給紙装置１１は単段トレイでも適用可能である。
【００３８】
次に、画情報を受信した際に、画像処理装置が行う第１の処理手順について図２のフローチャートを参照して説明する。
【００３９】
画像処理装置は画情報を受信すると（ステップＳ２０１）、画情報の記録紙サイズを検出し（ステップＳ２０２）、検出した画情報の記録紙サイズと同じ大きさの記録紙が給紙装置に設紙されているか否か確認する（ステップＳ２０３）。
【００４０】
ここで、画情報の記録紙サイズと同じ大きさの記録紙が給紙装置に設紙されている場合（ステップＳ２０３でＹＥＳ）、その記録紙に画情報を印字し（ステップＳ２０４）、処理手順を終了する。
【００４１】
また、画情報の記録紙サイズと同じ大きさの記録紙が給紙装置に設紙されていない場合（ステップＳ２０３でＮＯ）、画情報がＰＣ等の外部情報処理装置からＮｅｔｗｏｒｋ制御装置を介して受信したものなのか、ファクシミリ信号で電話回線制御装置を介して受信したものなのかを確認する（ステップＳ２０５）。
【００４２】
Ｎｅｔｗｏｒｋ制御装置を介して受信した画情報である場合（ステップＳ２０５でＮＯ）、画情報の記録紙サイズより小さい記録紙が給紙装置に設紙されているか否か確認し（ステップＳ２０６）、画情報の記録紙サイズより小さい記録紙が給紙装置に設紙されている場合（ステップＳ２０６でＹＥＳ）、画情報をその記録紙の記録紙サイズに合わせて縮小し（ステップＳ２０７）、その記録紙に縮小した画情報を印字し（ステップＳ２０４）、処理手順を終了する。
【００４３】
また、ステップＳ２０５において、ファクシミリ信号で電話回線制御装置を介して受信した画情報である場合（ステップＳ２０５でＹＥＳ）、更に、ステップＳ２０６において、画情報の記録紙サイズより小さい記録紙が給紙装置に設紙されていない場合（ステップＳ２０６でＮＯ）、記録紙が給紙装置に設紙されるまで待機し（ステップＳ２０８）、記録紙が給紙装置に設紙されると、その記録紙に画情報を印字し（ステップＳ２０３）、処理手順を終了する。
【００４４】
なお、ステップＳ２０８において、記録紙が給紙装置に設紙されるまで待機している際に、操作表示装置にユーザに記録紙の設紙を促すメッセージを表示する構成にしても良いし、更に画像処理装置を管理している管理者（例えば、画像処理装置とＮｅｔｗｏｒｋを介して接続しているＰＣ等の管理装置）に設紙を促すメッセージを送る構成にしても適用可能である。
【００４５】
次に、Ｎｅｔｗｏｒｋ制御装置で受信した画情報を記録紙に印字する際に、用紙切れを起こしてしまった場合における画像処理装置が行う処理手順について図３のフローチャートを参照して説明する。
【００４６】
Ｎｅｔｗｏｒｋ制御装置で受信した画情報を記録紙に印字し（ステップＳ３０１）、印字中に用紙切れを起こしてしまった場合（ステップＳ３０２でＹＥＳ）、印字中の記録紙の記録紙サイズと同じ大きさの記録紙が他の給紙装置に設紙されているか否か確認する（ステップＳ３０３）。
【００４７】
ここで、印字中の記録紙の記録紙サイズと同じ大きさの記録紙が他の給紙装置に設紙されている場合（ステップＳ３０３でＹＥＳ）、残りの画情報をその記録紙に印字し（ステップＳ３０４）、処理手順を終了する。
【００４８】
また、印字中の記録紙の記録紙サイズと同じ大きさの記録紙が他の給紙装置に設紙されていない場合（ステップＳ３０３でＮＯ）、画情報の記録紙サイズより小さい記録紙が給紙装置に設紙されているか否か確認する（ステップＳ３０５）。
【００４９】
ここで、画情報の記録紙サイズより小さい記録紙が給紙装置に設紙されている場合（ステップＳ３０５でＹＥＳ）、残りの画情報をその記録紙の記録紙サイズに合わせて縮小し（ステップＳ３０６）、その記録紙に縮小した残りの画情報を印字し（ステップＳ３０４）、処理手順を終了する。
【００５０】
また、画情報の記録紙サイズより小さい記録紙が給紙装置に設紙されていない場合（ステップＳ３０５でＮＯ）、記録紙が給紙装置に設紙されるまで待機し（ステップＳ３０７）、記録紙が給紙装置に設紙されると、その記録紙に残りの画情報を印字し（ステップＳ３０４）、処理手順を終了する。
【００５１】
なお、ステップＳ３０７において、記録紙が給紙装置に設紙されるまで待機している際に、操作表示装置にユーザに記録紙の設紙を促すメッセージを表示する構成にしても良いし、更に画像処理装置を管理している管理者に設紙を促すメッセージを送る構成にしても適用可能である。
【００５２】
図４は、画情報を分割して記録紙に印字する処理を示す図である。
【００５３】
図４（ａ）は、「Ａ３サイズ」の画情報を「Ａ３サイズ」の記録紙に印字したものを示し、図４（ｂ）は、図４（ａ）に示す「Ａ３サイズ」の画情報を分割して「Ａ４サイズ」の記録紙に印字したものを示す。
【００５４】
図４（ａ）に示すように、画情報の主走査方向が「Ａ３サイズ（２１０ｍｍ×２９７ｍｍ）」における「２１０ｍｍ」の一辺である場合、図４（ｂ）に示すように、「Ａ４サイズ（１４８ｍｍ×２１０ｍｍ）」の記録紙に２分割することができる。
【００５５】
つまり、画像処理装置が受信した画情報の記録紙サイズと同じ大きさの記録紙が給紙トレイに設紙されていなくても、画情報の主走査方向の一辺の長さと一致する記録紙サイズの記録紙が給紙トレイに設紙されていれば、画情報を分割してその記録紙に印字することができる。
【００５６】
次に、画情報を受信した際に、画像処理装置が行う第２の処理手順について図５のフローチャートを参照して説明する。
【００５７】
画像処理装置は画情報を受信すると（ステップＳ５０１）、画情報の記録紙サイズを検出し（ステップＳ５０２）、検出した画情報の記録紙サイズと同じ大きさの記録紙が給紙装置に設紙されているか否か確認する（ステップＳ５０３）。
【００５８】
ここで、画情報の記録紙サイズと同じ大きさの記録紙が給紙装置に設紙されている場合（ステップＳ５０３でＹＥＳ）、その記録紙に画情報を印字し（ステップＳ５０４）、処理手順を終了する。
【００５９】
また、画情報の記録紙サイズと同じ大きさの記録紙が給紙装置に設紙されていない場合（ステップＳ５０３でＮＯ）、画情報がＰＣ等の外部情報処理装置からＮｅｔｗｏｒｋ制御装置を介して受信したものなのか、ファクシミリ信号で電話回線制御装置を介して受信したものなのかを確認する（ステップＳ５０５）。
【００６０】
Ｎｅｔｗｏｒｋ制御装置を介して受信した画情報である場合（ステップＳ５０５でＮＯ）、画情報の記録紙サイズより小さい記録紙が給紙装置に設紙されているか否か確認し（ステップＳ５０６）、画情報の記録紙サイズより小さい記録紙が給紙装置に設紙されている場合（ステップＳ５０６でＹＥＳ）、その記録紙が画情報の主走査方向の一辺の長さと一致していれば、画情報を分割することが可能と判断し（ステップＳ５０７でＹＥＳ）、記録紙サイズに合わせて画情報を分割し（ステップＳ５０８）、その記録紙に分割した画情報を印字し（ステップＳ５０４）、処理手順を終了する。
【００６１】
また、ステップＳ５０７において、画情報の記録紙サイズより小さい記録紙が画情報の主走査方向の一辺の長さと一致していなければ、画情報を分割することが不可能と判断し（ステップＳ５０７でＮＯ）、記録紙サイズに合わせて画情報を縮小し（ステップＳ５０９）、その記録紙に縮小した画情報を印字し（ステップＳ５０４）、処理手順を終了する。
【００６２】
また、ステップＳ５０５において、ファクシミリ信号で電話回線制御装置を介して受信した画情報である場合（ステップＳ５０５でＹＥＳ）、更に、ステップＳ５０６において、画情報の記録紙サイズより小さい記録紙が給紙装置に設紙されていない場合（ステップＳ５０６でＮＯ）、記録紙が給紙装置に設紙されるまで待機し（ステップＳ５１０）、記録紙が給紙装置に設紙されると、その記録紙に画情報を印字し（ステップＳ５０４）、処理手順を終了する。
【００６３】
なお、ステップＳ５１０において、記録紙が給紙装置に設紙されるまで待機している際に、操作表示装置にユーザに記録紙の設紙を促すメッセージを表示する構成にしても良いし、更に画像処理装置を管理している管理者（例えば、画像処理装置とＮｅｔｗｏｒｋを介して接続しているＰＣ等の管理装置）に設紙を促すメッセージを送る構成にしても適用可能である。
【００６４】
【発明の効果】
以上説明したように、本発明によれば、ＰＣ等の外部情報処理装置からネットワークを介して送られてくる画情報を自動的に記録紙サイズに合わせた縮小を行い印刷するので、記録紙が用意されていないサイズの画情報を受信した場合でも印刷できるという効果を奏する。また、ファクシミリ信号で受信した画情報は、同じサイズの記録紙が設紙されるのを待つので、一時的に画情報サイズに応じた記録紙がセットされていない場合でも、同じサイズの記録紙に印刷できるという効果を奏する。
【図面の簡単な説明】
【図１】本発明に係わる画像処理装置の概略構成の一例を示すブロック図である。
【図２】画情報を受信した際に、画像処理装置が行う第１の処理手順を示すフローチャートである。
【図３】Ｎｅｔｗｏｒｋ制御装置で受信した画情報を記録紙に印字する際に、用紙切れを起こしてしまった場合における画像処理装置が行う処理手順を示すフローチャートである。
【図４】画情報を分割して記録紙に印字する処理を示す図である。
【図５】画情報を受信した際に、画像処理装置が行う第２の処理手順を示すフローチャートである。
【符号の説明】
１　　ＣＰＵ
２　　ＲＡＭ
３　　操作表示装置
４　　読取装置
５　　印字装置
６　　画像処理装置
７　　画像蓄積装置
８　　システム制御部
９　　Ｎｅｔｗｏｒｋ制御装置
１０　　電話回線制御部
１１　　給紙装置
１２　　システムバス
【図１】
2004064212.tif 000003
【図２】
2004064212.tif 000004
【図３】
2004064212.tif 000005
【図４】
2004064212.tif 000006
【図５】
2004064212.tif 000007